(57)【要約】【課題】  処方オーダされた薬品名を容易に確認することのできる薬品名チェック装置および薬品名チェックプログラムを提供することを目的とする。【解決手段】  複数の薬品名が格納された薬品名マスタ１０２と、複数の薬品名について各薬品名と名称の類似する類似薬品名が互いに対応付けられて格納された類似薬品名マスタ１０３と、操作に応じて薬品名が入力される薬品名入力部１０４と、薬品名入力部１０４により入力された薬品名に基づき、薬品名マスタ１０２を検索する薬品名検索部１０５と、薬品名検索部１０５により検索された薬品名に対応する類似薬品名を類似薬品名マスタ１０３から抽出する類似薬品名抽出部１０６と、薬品名検索部１０５により検索された薬品名と、類似薬品名抽出部１０６により抽出された類似薬品名を、双方を対応付けて画面上に表示する薬品名表示部１０７とを備えた。【選択図】        図１
2006025839.tif 000002
【特許請求の範囲】
【請求項１】
複数の薬品名が格納された薬品名マスタと、
複数の薬品名について各薬品名と名称の類似する類似薬品名が互いに対応付けられて格納された類似薬品名マスタと、
操作に応じて薬品名が入力される薬品名入力部と、
前記薬品名入力部により入力された薬品名に基づき、前記薬品名マスタを検索する薬品名検索部と、
前記薬品名検索部により検索された薬品名に対応する類似薬品名を前記類似薬品名マスタから抽出する類似薬品名抽出部と、
前記薬品名検索部により検索された薬品名と、前記類似薬品名抽出部により抽出された類似薬品名を、双方を対応付けて画面上に表示する薬品名表示部とを備えたことを特徴とする薬品名チェック装置。
【請求項２】
前記薬品名検索部は、前記薬品名入力部により入力された薬品名の文字列のうちの一部分の文字列に基づき検索を行うものであることを特徴とする請求項１記載の薬品名チェック装置。
【請求項３】
コンピュータを、
操作に応じて薬品名が入力される薬品名入力部と、
前記薬品名入力部により入力された薬品名に基づき、複数の薬品名が格納された薬品名マスタを検索する薬品名検索部と、
前記薬品名検索部による検索された薬品名に対応する類似薬品名を、複数の薬品名について各薬品名と名称の類似する類似薬品名が互いに対応付けられて格納された類似薬品名マスタから抽出する類似薬品名抽出部と、
前記薬品名検索部により検索された薬品名と、前記類似薬品名抽出部により抽出された類似薬品名を、双方を対応付けて画面上に表示する薬品名表示部とを備えた薬品名チェック装置として動作させることを特徴とする薬品名チェックプログラム。
【発明の詳細な説明】
【技術分野】
【０００１】
本発明は、コンピュータに処方オーダとして入力された薬品名をチェックする薬品名チェック装置および薬品名チェックプログラムに関する。
【背景技術】
【０００２】
従来、病院や診療所において、医師により処方オーダがコンピュータに入力され、薬局においてその処方オーダに基づく処方が行われ、処方された薬品が患者に投与され、さらにその処方オーダに基づき医事会計処理が行われるオーダリングシステムが広く用いられている。
【０００３】
このオーダリングシステムにおいて、処方オーダに基づき処方される薬品はなによりも先ず患者にとって安全でなければならないという大前提があり、処方の安全性を高めるための種々の薬品チェックが行われている。
【０００４】
例えば、処方オーダの発行時に、上限量チェック、長期投与チェック、患者禁忌チェック、当日に発行された他の診療科の処方との禁忌チェックなどの種々のチェックを行う処方オーダリングシステムが開示されている（例えば、特許文献１参照）。
【特許文献１】特開２００２−１８３３０４号公報（第１−３頁、図１，２）
【発明の開示】
【発明が解決しようとする課題】
【０００５】
従来の処方オーダリングシステムでは、医師が、処方しようとする薬品名を先頭の文字から順次に入力していくと、入力された文字による、いわゆる“前方一致検索”あるいは“中間一致検索”などの手法により薬品名マスタの中からいくつかの薬品名が抽出され、抽出された薬品名のリストが表示装置の画面上に表示される。医師はその薬品名のリストの中の所望の薬品名を選択することにより処方オーダが発行されるという方式が広く採用されている。
【０００６】
しかし、近年の医学・薬学の進歩により次々に新薬が開発されるのに伴い、医療に用いられる薬品の中には名称の類似する薬品も増加する一方である。
【０００７】
従って、一般の病院に備えられる薬品名マスタの中にも名称の類似する薬品名が多数含まれており、医師がある薬品を処方しようとしてその薬品名の先頭のいくつかの文字を入力した場合に、薬品名マスタから多数の類似薬品名が抽出され、そのリストが画面上に表示される。医師がそのリストの中から所望の薬品名を正しく選択した場合は全く問題はないが、そのリストの中から毒薬や劇薬を誤って選択してしまうことも考えられる。
【０００８】
図９は、従来の処方オーダリングシステムにおける処方事例を示す図である。
【０００９】
図９に示すように、例えば、医師９１が“サクシン”という薬品を処方しようとした場合に、先頭の３文字“サクシ”と入力すると、文字列“サクシ”から始まる“サクシゾン”、“サクシン”などの複数の薬品名が薬品名マスタから抽出され、そのリストが端末装置に表示される。
【００１０】
ここで、医師９１が表示されたリストの中から誤って毒薬である“サクシゾン”を選択した場合はそのまま処方オーダが発行されてしまう。
【００１１】
薬局では、薬剤師９２がその処方オーダを見て“サクシゾン”に対して疑念を抱いたとしても、場合によっては“サクシゾン”が処方されることもあり得るので、“サクシゾン”を禁忌チェックで無条件にはじいてしまうわけにはいかず、監査ＯＫとしたとすると、結果として誤って毒薬“サクシゾン”が処方されてしまう。
【００１２】
処方された“サクシゾン”を受け取った看護師９３が、“サクシゾン”に対して疑念を抱きながらも患者９４にそのまま“サクシゾン”を投与したとすると重大な医療事故を引き起こしてしまうことになる。
【００１３】
本発明は、上記事情に鑑み、処方オーダされた薬品名を容易に確認することのできる薬品名チェック装置および薬品名チェックプログラムを提供することを目的とする。
【課題を解決するための手段】
【００１４】
上記目的を達成する本発明の薬品名チェック装置は、
複数の薬品名が格納された薬品名マスタと、
複数の薬品名について各薬品名と名称の類似する類似薬品名が互いに対応付けられて格納された類似薬品名マスタと、
操作に応じて薬品名が入力される薬品名入力部と、
上記薬品名入力部により入力された薬品名に基づき、上記薬品名マスタを検索する薬品名検索部と、
上記薬品名検索部により検索された薬品名に対応する類似薬品名を上記類似薬品名マスタから抽出する類似薬品名抽出部と、
上記薬品名検索部により検索された薬品名と、上記類似薬品名抽出部により抽出された類似薬品名を、双方を対応付けて画面上に表示する薬品名表示部とを備えたことを特徴とする。
【００１５】
ここで、上記薬品名検索部は、上記薬品名入力部により入力された薬品名の文字列のうちの一部分の文字列に基づき検索を行うものであってもよい。
【００１６】
また、上記目的を達成する本発明の薬品名チェックプログラムは、
コンピュータを、
操作に応じて薬品名が入力される薬品名入力部と、
上記薬品名入力部により入力された薬品名に基づき、複数の薬品名が格納された薬品名マスタを検索する薬品名検索部と、
上記薬品名検索部による検索された薬品名に対応する類似薬品名を、複数の薬品名について各薬品名と名称の類似する類似薬品名が互いに対応付けられて格納された類似薬品名マスタから抽出する類似薬品名抽出部と、
上記薬品名検索部により検索された薬品名と、上記類似薬品名抽出部により抽出された類似薬品名を、双方を対応付けて画面上に表示する薬品名表示部とを備えた薬品名チェック装置として動作させることを特徴とする。
【発明の効果】
【００１７】
本発明の薬品名チェック装置によれば、上記のように構成された薬品名マスタ、類似薬品名マスタ、薬品名入力部、薬品名検索部、類似薬品名抽出部、および薬品名表示部を備えたことにより、複数の薬品名について各薬品名と名称の類似する類似薬品名とを互いに対応付けた状態で参照しながら薬品名を容易にチェックすることが可能となるので、薬品名の誤認による処方ミスを効果的に防止することができる。
【００１８】
また、本発明の薬品名チェックプログラムによれば、上記のように構成された薬品名入力部、薬品名検索部、類似薬品名抽出部、および薬品名表示部を備えた薬品名チェック装置をコンピュータ上に形成することができるので、複数の薬品名について各薬品名と名称の類似する類似薬品名とを互いに対応付けた状態で参照しながら薬品名を容易にチェックすることが可能となり、薬品名の誤認による処方ミスを効果的に防止することができる。
【発明を実施するための最良の形態】
【００１９】
以下図面を参照して本発明の実施の形態を説明する。
【００２０】
図１は、本発明の薬品名チェック装置および薬品名チェックプログラムの一実施形態の構成を示すブロック図である。
【００２１】
図１に示すように、この薬品名チェック装置１００は、薬品名マスタ１０２および類似薬品名マスタ１０３を含むデータベース１０１と、薬品名入力部１０４と、薬品名検索部１０５と、類似薬品名抽出部１０６と、薬品名表示部１０７とを備えている。
【００２２】
薬品名マスタ１０２は、複数の薬品名が格納されたものであり、類似薬品名マスタ１０３は、複数の薬品名について各薬品名と名称の類似する類似薬品名が互いに対応付けられて格納されたものであり、薬品名入力部１０４は、操作に応じて薬品名が入力されるものであり、薬品名検索部１０５は、薬品名入力部１０４により入力された薬品名に基づき、薬品名マスタ１０２を検索するものであり、類似薬品名抽出部１０６は、薬品名検索部１０５により検索された薬品名に対応する類似薬品名を類似薬品名マスタ１０３から抽出するものであり、薬品名表示部１０７は、薬品名検索部１０５により検索された薬品名と、類似薬品名抽出部１０６により抽出された類似薬品名を、双方を対応付けて画面上に表示するものである。
【００２３】
なお、この実施形態の薬品名チェック装置１００における薬品名検索部１０５は、薬品名入力部１０４により入力された薬品名の文字列のうちの一部分の文字列に基づき検索を行うように構成されている。具体的には、“前方一致検索”または“中間一致検索”などの手法を用いた検索が行われる。
【００２４】
また、本実施形態の薬品名チェックプログラム１１０は、コンピュータを、薬品名入力部１０４、薬品名検索部１０５、類似薬品名抽出部１０６、および薬品名表示部１０７を備えた薬品名チェック装置１００として動作させるものである。
【００２５】
薬品名入力部１０４は、操作に応じて薬品名が入力されるものであり、薬品名検索部１０５は、薬品名入力部１０４により入力された薬品名に基づき、複数の薬品名が格納された薬品名マスタ１０２を検索するものであり、類似薬品名抽出部１０６は、薬品名検索部１０５により検索された薬品名に対応する類似薬品名を、複数の薬品名について各薬品名と名称の類似する類似薬品名が互いに対応付けられて格納された類似薬品名マスタ１０３から抽出するものであり、薬品名表示部１０７は、薬品名検索部１０５により検索された薬品名と、類似薬品名抽出部１０６により抽出された類似薬品名を、双方を対応付けて画面上に表示するものである。
【００２６】
この薬品名チェックプログラム１１０は、次に説明するコンピュータシステムの主記憶装置上に形成され、ＣＰＵにより実行される。
【００２７】
次に、本実施形態の薬品名チェック装置のハードウエアについて説明する。
【００２８】
図２は、本実施形態の薬品名チェック装置が形成されるコンピュータシステムの概要図である。
【００２９】
図２には、薬品名マスタ１０２（図１参照）および類似薬品名マスタ１０３などからなるデータベース１０１が構築されるサーバ８０＿１、およびネットワーク８６を介してサーバ８０＿１に接続された複数の端末装置８０＿２，８０＿３，８０＿４が例示的に示されている。
【００３０】
サーバ８０＿１および端末装置８０＿２，８０＿３，８０＿４を構成するコンピュータシステムには、一般にワークステーションと呼ばれる高速かつ大容量のコンピュータシステム、またはパーソナルコンピュータシステムなどが用いられる。
【００３１】
サーバ８０＿１および各端末装置８０＿２，８０＿３，８０＿４は、ＣＰＵ、主記憶装置、ハードディスク、通信用ボード等が内蔵された本体部８０ａ，８０ｂ，８０ｃ，８０ｄ、本体部８０ａ，８０ｂ，８０ｃ，８０ｄからの指示により画面上に画像や文字列を表示する表示装置８１ａ，８１ｂ，８１ｃ，８１ｄ、サーバ８０＿１および各端末装置８０＿２，８０＿３，８０＿４にオペレータからの指示を入力するためのキーボード８２ａ，８２ｂ，８２ｃ，８２ｄ、および表示画面上の任意の位置を指定することにより、その指定された位置に表示されていたアイコン等に応じた指示を入力するマウス８３ａ，８３ｂ，８３ｃ，８３ｄを備えている。
【００３２】
サーバ８０＿１、各端末装置８０＿２，８０＿３，８０＿４、およびネットワーク８６は、全体として本実施形態の入院日数算定装置９０（図１参照）を形成している。
【００３３】
本体部８０ａ，８０ｂ，８０ｃ，８０ｄは、さらに外観上、フレキシブルディスク（図示せず）、ＭＯ（光磁気ディスク）８５が装填されるＦＤ装填口８４ａ，８４ｂ，８４ｃ，８４ｄ、ＭＯ装填口８５ａ，８５ｂ，８５ｃ，８５ｄを有しており、それらの内部には、それらの装填口から装填されたフレキシブルディスクやＭＯをドライブしてアクセスするフレキシブルディスクドライブユニット、ＭＯドライブユニットが内蔵されている。
【００３４】
次に、本実施形態の薬品名マスタ１０２および類似薬品名マスタ１０３のファイル構造について説明する。
【００３５】
図３は、本実施形態における薬品名マスタ１０２のファイル構造を示す図である。
【００３６】
図３に示すように、この薬品名マスタ１０２には、薬品コード１０２ａ、薬品名１０２ｂなどの項目が設けられている。薬品コード１０２ａには、薬品を一意に決定するコードが記憶され、薬品名１０２ｂには、薬品コード１０２ａに対応する薬品の名称が記憶される。
【００３７】
図４は、本実施形態における類似薬品名マスタ１０３のファイル構造を示す図である。
【００３８】
図４に示すように、この類似薬品名マスタ１０３には、薬品コード１０３ａ、薬品名１０３ｂ、類似薬品コード１０３ｃ、および類似薬品名１０３ｄの４項目が設けられている。薬品コード１０３ａには、薬品を一意に決定するコードが記憶され、薬品名１０３ｂには、薬品コード１０３ａに対応する薬品の名称が記憶され、類似薬品コード１０３ｃには、薬品名が類似している薬品のコードが記憶され、類似薬品名１０３ｄには、類似薬品コードに対応する薬品の名称が記憶される。
【００３９】
図４に示すように、類似薬品名マスタ１０３には、一つの薬品名、例えば“プロスタール”について、複数の名称の類似する類似薬品名、例えば“フスタゾール”、“プレタゾール”、“プロスタルモン”、“プロタノール”、“プロへパール”、およびその類似薬品名を表す類似薬品コード、例えば“２”、“３”、“４”、“５”、“６”が互いに対応付けられて格納されている。
【００４０】
図５は、本実施形態の薬品名チェック装置に用いられる処方画面を示す図である。
【００４１】
図５に示すように、この処方画面２００には、医師により処方したい薬品名の文字列が入力される検索文字列入力欄２０１、検索文字列入力欄２０１に入力された文字列による薬品名マスタ１０２（図１参照）の検索を指示する検索ボタン２０２、入力された文字列について、薬品名マスタ１０２から抽出された薬品名が表示される薬品名表示欄２０３、薬品名表示欄２０３に表示された薬品名と名称の類似する類似薬品名が類似薬品名マスタ１０３（図１参照）から抽出され、その抽出結果が表示される薬品名・類似薬品名表示欄２０４、医師により処方が入力される処方入力欄２０５、入力された処方を確定する確定ボタン２０６、およびこの処方画面２００を閉じる“閉じる”ボタン２０７が設けられている。
【００４２】
この処方画面２００は、処方オーダ発行時の医師に対して表示されるだけではなく、例えば、薬局の薬剤師や、外来診察室または病棟の看護師などが、端末装置８０＿２，８０＿３，８０＿４（図２参照）を操作することにより簡単に参照できるようにこの薬品名チェック装置を構成しておくことが好ましい。
【００４３】
次に、図６を参照して、本実施形態の薬品名チェック装置の動作の概要を説明する。動作の詳細については、さらに図７を参照しながら後述する。
【００４４】
図６は、本実施形態の薬品名チェック装置の動作の概要を示すフローチャートである。
【００４５】
図６に示すように、薬品名を検索する医師３０１による薬品名検索依頼３０２が行われると、薬品名検索処理３０３が開始され、先ず、薬品名マスタ１０２（図３参照）を、“薬品名”をキーとする部分一致検索で検索する薬品名マスタ検索３０３ａを行い、薬品名の検索結果を列挙して返す。
【００４６】
次に、類似薬品名抽出依頼３０３ｂが行われ、類似薬品名抽出処理３０４が行われる。すなわち、薬品名検索処理３０３においてヒットした薬品名に類似する類似薬品名を、“薬品コード”をキーにして類似薬品名マスタ１０３（図４参照）を検索して類似薬品名を抽出し、その抽出結果を返す。
【００４７】
次に、返された抽出結果に基づく薬品名と類似薬品名の検索結果が列挙され、検索結果確認３０３ｃが行われる。
【００４８】
次に、薬品名チェック装置の動作について例を挙げて詳細に説明する。
【００４９】
図７は、本実施形態の薬品名チェック装置の動作の詳細を示すフローチャートである。
【００５０】
ステップＳ１において、薬品名を検索する医師３０１（図６参照）からの薬品名検索依頼３０２に応じて、薬品名検索処理３０３が行われる。すなわち、処方画面２００（図５参照）の検索文字列入力欄２０１に、検索したい薬品名の先頭の数文字、例えば“プロス”を入力し、検索ボタン２０２を押下すると、薬品名検索部１０５（図１参照）により、文字列“プロス”をキーとする“部分一致検索”による薬品名マスタ１０２（図３参照）の検索が行われ、検索の結果、薬品名が検出されたか否かの判定が行われる（図７：ステップＳ２）。なお、検索の手法として“部分一致検索”の代わりに“前方一致検索”あるいは“中間一致検索”により検索するようにしてもよい。
【００５１】
ステップＳ２における判定の結果、薬品名が検出されなかった場合は、ステップＳ１に戻り医師３０１（図６参照）による薬品名の再入力が行われる。
【００５２】
ステップＳ２における判定の結果、薬品名が検出された場合は、図６に示すように、薬品名検索結果が返され、検索された薬品名リスト、例えば“プロスタール”、“プロスタルモン”、…が、処方画面２００（図５参照）の薬品名表示欄２０３に列挙される（ステップＳ３）。
【００５３】
次に、ステップＳ４において、類似薬品名抽出部１０６（図１参照）により、上記ステップＳ３で検索された薬品名に対応する類似薬品名を類似薬品名マスタから抽出する類似薬品名抽出処理３０４（図６参照）が行われる。
【００５４】
この類似薬品名抽出処理３０４は、類似薬品名抽出依頼３０３ｂに基づき実行される。類似薬品名抽出処理３０４では、薬品名表示欄２０３（図５参照）に表示された、例えば、“プロスタール”、“プロスタルモン”、…に対応する類似薬品名を、類似薬品名マスタ１０３（図４参照）の類似薬品名１０３ｄの中から抽出し、その抽出結果を返す。
【００５５】
次に、ステップＳ５において、類似薬品名が抽出されたか否かが判定される。上記の例では、類似薬品名抽出処理３０４（図６参照）により、“フスタゾール”、“プレタール”、“プロスタルモン”、“プロタノール”、“プロへパール”、“プロスタール”などの類似薬品名が抽出されているので、この場合にはステップＳ６に進み、薬品名表示部１０７（図１参照）により、薬品名と類似薬品名の双方が対応付けられたリストが薬品名・類似薬品名表示欄２０４（図５参照）に図示のように表示される。
【００５６】
ここで、医師３０１（図６参照）による検索結果確認３０３ｃが行われた後、処方画面２００（図５参照）の確定ボタン２０６が押下されると全ての処理が終了する。
【００５７】
なお、ステップＳ５において、類似薬品名が抽出されなかった場合には、薬品名・類似薬品名表示欄２０４（図５参照）には何らの表示も行われない。ここで、医師３０１（図６参照）による検索結果の確認が行われた後、処方画面２００（図５参照）の確定ボタン２０６が押下されると全ての処理が終了する。
【００５８】
次に、前述の、従来の処方オーダリングシステムにおける事例について、本実施形態の薬品名チェック装置を用いた場合にどのような効果があるかについて説明する。
【００５９】
図８は、本実施形態の薬品名チェック装置を用いた場合の効果を示す図である。
【００６０】
図８に示すように、本実施形態の薬品名チェック装置を用いた場合には、医師９１が、“サクシン”を処方しようとして、処方画面２００（図５参照）の検索文字列入力欄２０１に、誤って“サクシゾン”と入力したとしても、類似薬品名抽出部１０６（図１参照）により、類似薬品名マスタ１０３から薬品名“サクシゾン”に対応する類似薬品名、例えば“サクシン”が抽出され、薬品名“サクシゾン”と類似薬品名“サクシン”の双方が対応付けられたリストが薬品名・類似薬品名表示欄２０４（図５参照）に表示される。
【００６１】
ここで、医師９１が、表示された薬品名をチェックすることにより処方ミスを防止することが可能である。この時点が処方ミス防止の第１のチャンスである。
【００６２】
この第１のチャンスにおいて、医師９１が、“サクシゾン”ではなかった、“サクシン”だったと気が付いた場合は薬品名を再入力することにより医療事故を未然に防止することができる。
【００６３】
仮に、第１のチャンスにおいて処方ミスに気付かなかった場合でも、薬剤師９２が、処方監査の段階で処方画面２００（図５参照）を参照することにより処方ミスではないかとの疑念を抱いた場合には、医師９１にオーダ内容の再チェックを依頼することができる。ここに、処方ミスが防止される第２のチャンスがある。
【００６４】
第２のチャンスにおいても処方ミスに気付かなかった場合でも、看護師９３が、処方された薬品を患者に投与する段階で処方画面２００（図５参照）を参照することにより処方ミスに気が付いた場合は、その薬品の投与を見合わせ、薬剤師９２や医師９１に処方オーダの内容について問い合わせすることができる。ここに、処方ミスが防止される第３のチャンスがある。
【００６５】
以上のように、本発明の薬品名チェック装置によれば、複数の薬品名について各薬品名と名称の類似する類似薬品名とが互いに対応付けられた状態で表示され、処方された薬品名を容易にチェックする複数のチャンスがあるので、薬品名の誤認による処方ミスを効果的に防止することができる。
【図面の簡単な説明】
【００６６】
【図１】本発明の薬品名チェック装置および薬品名チェックプログラムの一実施形態の構成を示すブロック図である。
【図２】本実施形態の薬品名チェック装置が形成されるコンピュータシステムの概要図である。
【図３】本実施形態における薬品名マスタ１０２のファイル構造を示す図である。
【図４】本実施形態における類似薬品名マスタ１０３のファイル構造を示す図である。
【図５】本実施形態の薬品名チェック装置に用いられる処方画面を示す図である。
【図６】本実施形態の薬品名チェック装置の動作の概要を示すフローチャートである。
【図７】本実施形態の薬品名チェック装置の動作の詳細を示すフローチャートである。
【図８】本実施形態の薬品名チェック装置を用いた場合の効果を示す図である。
【図９】従来の処方オーダリングシステムにおける処方事例を示す図である。
【符号の説明】
【００６７】
８０＿１    サーバ
８０＿２，８０＿３，８０＿４    端末装置
８０ａ，８０ｂ，８０ｃ，８０ｄ    本体部
８１ａ，８１ｂ，８１ｃ，８１ｄ    表示装置
８２ａ，８２ｂ，８２ｃ，８２ｄ    キーボード
８３ａ，８３ｂ，８３ｃ，８３ｄ    マウス
８４ａ，８４ｂ，８４ｃ，８４ｄ    ＦＤ装填口
８５    ＭＯ
８５ａ，８５ｂ，８５ｃ，８５ｄ    ＭＯ装填口
８６    ネットワーク
９１    医師
９２    薬剤師
９３    看護師
９４    患者
１００    薬品名チェック装置
１０１    データベース
１０２    薬品名マスタ
１０２ａ    薬品コード
１０２ｂ    薬品名
１０３    類似薬品名マスタ
１０３ａ    薬品コード
１０３ｂ    薬品名
１０３ｃ    類似薬品コード
１０３ｄ    類似薬品名
１０４    薬品名入力部
１０５    薬品名検索部
１０６    類似薬品名抽出部
１０７    薬品名表示部
２００    処方画面
２０１    検索文字列入力欄
２０２    検索ボタン
２０３    薬品名表示欄
２０４    薬品名・類似薬品名表示欄
２０５    処方入力欄
２０６    確定ボタン
２０７    “閉じる”ボタン
３０１    医師
３０２    薬品名検索依頼
３０３    薬品名検索処理
３０３ａ    薬品名マスタ検索
３０３ｂ    類似薬品名抽出依頼
３０３ｃ    検索結果確認
【図１】
2006025839.tif 000003
【図２】
2006025839.tif 000004
【図３】
2006025839.tif 000005
【図４】
2006025839.tif 000006
【図５】
2006025839.tif 000007
【図６】
2006025839.tif 000008
【図７】
2006025839.tif 000009
【図８】
2006025839.tif 000010
【図９】
2006025839.tif 000011